(57)【特許請求の範囲】
【請求項１】
エレベータの乗場出入口に備えられる三方枠と、この三方枠の上部に取付けられるポケット部と、このポケット部に収納されるガイドレールに懸架される乗場戸と、前記三方枠の下部に取付けられる敷居部とを有するエレベータ出入口装置の吊上げ用治具において、
前記敷居部の幅方向のほぼ中央部に装着される吊りクランプと、上方より垂下され、前記吊りクランプに下端が連結される索状体と、この索状体の中間部が着脱自在に係合し、前記ポケット部に取付けられるガイド体と、前記敷居部と吊りクランプ間に介設される保護具とを備え、
前記保護具は、断面が逆Ｕ字形状に形成され、前記敷居部の上面および両側面を覆う被覆部材と、この被覆部材の上部に立設され、前記乗場戸を所定の間隔で開いた状態に保持する戸止め部材とを有することを特徴とするエレベータ出入口装置の吊上げ用治具。
【発明の詳細な説明】
【０００１】
【発明の属する技術分野】
本発明は、エレベータ出入口装置の吊上げ用治具に係り、特に、あらかじめ組立てた出入口装置の搬入、据付を行なうのに好適なエレベータ出入口装置の吊上げ用治具に関する。
【０００２】
【従来の技術】
従来、例えば特開平７−７６４７２号公報に記載されているように、昇降路内部での据付作業の工程を削減するため、エレベータのかご装置や出入口装置を昇降路の外部であらかじめ組立てた後、これらの装置を昇降路内に搬入して据付けるエレベータ据付方法が提案されている。
【０００３】
図６はこの種の従来のエレベータ据付方法を説明する図、図７は従来のエレベータ据付方法によりロープを取外す際の状態を示す図である。
図６において、１は出入口装置で、この出入口装置１を昇降路５外部であらかじめ組立てた後、この出入口装置１の上部をクレーン２のフック３により吊りロープ４を介して吊上げ、クレーン２を操作して昇降路５上部の開口６から出入口装置１を最下階７の乗場出入口７ａまで搬入する。次いで、図７に示すように、最下階７にいる作業員が乗場出入口７ａに出入口装置１を据付けた後、最下階より１つ上階８にいる他の作業員がこの上階８の乗場出入口８ａより手を伸ばして、吊りロープ４をフック３から取外し、これによって、最下階７での出入口装置１の据付作業を完了する。
【０００４】
そして、同様の手順で上階８、９においても出入口装置１の据付作業を行なった後、最上階１０での出入口装置１の据付作業を行ない、昇降路５上部の機械室１１から吊りロープ４をフック３から取外すようになっている。
【０００５】
【発明が解決しようとする課題】
ところで、上述した従来技術では、出入口装置１を据付ける階とその１つ上の階にそれぞれ作業員がいなければならず、２人の作業員を要するため作業費がかさむという問題があった。なお、このような問題を解決するため、１人の作業員が下階で出入口装置１を据付けた後、上階に行って吊りロープ４をフック３から取外すことも考えられるが、この場合には、作業員が下階と上階とを一往復しなければ次の階の出入口装置１の据付作業に取りかかることができず、作業効率が低下するという新たな問題があった。
【０００６】
さらに、出入口装置１をクレーン２を用いて昇降路５の上部から搬入するため、作業効率が悪く、かなりの工事費がかかるという問題もあった。
【０００７】
本発明はこのような従来技術における実情に鑑みてなされたもので、その目的は、作業員が１人のみで出入口装置の据付作業を効率良く行なうことができ、また、出入口装置の吊上げ時に敷居部の傷付きを防止できるとともに、吊りクランプの着脱を容易に行なうことのできるエレベータ出入口装置の吊上げ用治具を提供することにある。
【０００９】
【課題を解決するための手段】
上記目的を達成するため、本発明は、エレベータの乗場出入口に備えられる三方枠と、この三方枠の上部に取付けられるポケット部と、このポケット部に収納されるガイドレールに懸架される乗場戸と、前記三方枠の下部に取付けられる敷居部とを有するエレベータ出入口装置の吊上げ用治具において、前記敷居部の幅方向のほぼ中央部に装着される吊りクランプと、上方より垂下され、前記吊りクランプに下端が連結される索状体と、この索状体の中間部が着脱自在に係合し、前記ポケット部に取付けられるガイド体と、前記敷居部と吊りクランプ間に介設される保護具とを備え、前記保護具は、断面が逆Ｕ字形状に形成され、前記敷居部の上面および両側面を覆う被覆部材と、この被覆部材の上部に立設され、前記乗場戸を所定の間隔で開いた状態に保持する戸止め部材とを有する構成にしてある。
【００１０】
上記のように構成した本発明では、上方より垂下した索状体により吊りクランプを介して出入口装置の敷居部を吊上げるとともに、出入口装置上部に取付けたガイド体を索状体の中間部に係合させることにより出入口装置が転倒しないように保持し、この状態で出入口装置を搬入して所定階に据付けた後、前記の索状体を少し弛めて、この所定階で作業員が敷居部から吊りクランプを取外すとともに、索状体と出入口装置上部のガイド体との係合状態を解除する。これによって、作業員が１人のみで出入口装置の据付作業を行なうことができ、しかも、同一階で索状体の取外し作業が可能であるために作業員の移動を要せずに済み、作業効率が良好である。また、吊りクランプと敷居部との間に介設される保護具の被覆部材で敷居部の上面および両側面を覆うことにより、吊りクランプを介して敷居部を吊上げたとき、この敷居部が傷付かないように保護できる。さらに、保護具の戸止め部材で乗場戸を所定の間隔で開いた状態に保持することにより、吊りクランプを敷居部の幅方向にほぼ中央部に装着する際、この吊りクランプが乗場戸と干渉することを防止できるため、この状態で敷居部に吊りクランプを容易に着脱できる。
【００１３】
【発明の実施の形態】
以下、本発明のエレベータ出入口装置の吊上げ用治具の実施の形態を図に基づいて説明する。
図１は本発明の一実施形態に係るエレベータ出入口装置の吊上げ用治具を示す斜視図、図２は図１の吊上げ用治具のＡ部を拡大して示す斜視図、図３は図１の吊上げ用治具のＢ部を拡大して示す側面図、図４は図１の吊上げ用治具に備えられる保護具の斜視図、図５は保護具の側面図である。なお、図１〜図５において前述した図６、図７に示すものと同等のものには同一符号を付してある。
【００１４】
図１に示す出入口装置１は、門型に形成される三方枠１ｂと、この三方枠１ｂの上部に取付けられるポケット部１ａと、三方枠１ｂの下部に取付けられる敷居部１ｃと、これらのポケット部１ａおよび敷居部１ｃにより上端、下端がそれぞれ移動可能に支持される乗場戸１ｄとからなっている。
【００１５】
そして、本実施形態の吊上げ用治具は、敷居部１ｃの幅方向のほぼ中央部に装着される吊りクランプ１２と、これらの敷居部１ｃおよび吊りクランプ１２間に介設される保護具１３と、上方より垂下され、この吊りクランプ１２に下端が連結される索状体、例えば吊りロープ１４と、この吊りロープ１４の中間部が着脱自在に係合し、前記の三方枠１ｂの上部中央に取付けられるガイド体１５とからなっている。
【００１６】
上述した吊りクランプ１２は、図２に示すように、断面がコの字形状に形成され、一体化した敷居部１ｃおよび保護具１３に対して横方向から装着することにより敷居部１ｃおよび保護具１３をはさむクランプ本体１６と、このクランプ本体１６に吊りロープ１４の下端を連結する連結部材１７とから構成されている。
【００１７】
上述した保護具１３は、図２、図４に示すように、断面が逆Ｕ字形状に形成され、敷居部１ｃの上面および両側面を覆う鋼板製の被覆部材１８と、この被覆部材１８の上面に立設され、乗場戸１ｄを所定の間隔で開いた状態に保持する一対の戸止め部材１９とからなっている。この一対の戸止め部材１９は、それぞれの上端部１９ａが折曲げられ、上方に向かうにしたがって互いに内側に傾斜している。
【００１８】
上述した吊りロープ１４は、図１、図２に示すように、上端、下端のそれぞれにアイエンド部１４ａが形成され、下端のアイエンド部１４ａにシャックルソケット２０が挿通されている。このシャックルソケット２０の両端にボルト２１が係合し、このボルト２１は前記の連結部材１７に挿通されている。このボルト２１をシャックルソケット２０の両端から引抜いた状態で、吊りロープ１４下端のアイエンド部１４ａにシャックルソケット２０を挿通するとともに、連結部材１７にボルト２１を挿通した後、このボルト２１をシャックルソケット２０に締込むことにより、このシャックルソケット２０を介して吊りロープ１４と吊りクランプ１２とを連結するようになっている。
【００１９】
上述したガイド体１５は、図３に示すように、ポケット部１ａの上部の枠体２２に取付けられる取付ブラケット２３と、この取付ブラケット２３に支持され、吊りロープ１４が挿通されるシャックルソケット２４とからなっている。このシャックルソケット２４の両端にはボルト２５が係合し、このボルト２５は、取付ブラケット２３上の板部２６に穿設される貫通孔２７に挿通されている。前記のボルト２５をシャックルソケット２４の両端から引抜くことにより、吊りロープ１４の中間部の係合状態を容易に解除できる。
【００２０】
この実施形態の吊上げ用治具を出入口装置１に装着する際、まずガイド体１５の取付ブラケット２３をポケット部１ａ上部の枠体２２に取付けて、前記の取付ブラケット２３を介してシャックルソケット２４を支持した後、このシャックルソケット２４に吊りロープ１４を挿通して、この吊りロープ１４をシャックルソケット２４より下方へ数ｍ引出し、前記の吊りロープ１４下端のアイエンド部１４ａと吊りクランプ１２の連結部材１７とを他のシャックルソケット２０を介して連結する。次いで、出入口装置１の乗場戸１ｄを所定の間隔開いた後、敷居部１ｃの幅方向のほぼ中央部に、この敷居部１ｃに対して上方から保護具１３を装着することにより、この保護具１３の被覆部材１８により敷居部１ｃの上面および両側面を覆うとともに、一対の戸止め部材１９に乗場戸１ｄの先端が当接する状態で乗場戸１ｄを固定する。次いで、上記のようにして一体化した敷居部１ｃおよび保護具１３に対して横方向から吊りクランプ１２のクランプ本体１６を装着すると、このクランプ本体１６により一体化した敷居部１ｃおよび保護具１３が挟持される。
【００２１】
このようにして出入口装置１に本実施形態の吊上げ用治具を取付ける作業を完了した後、図示しないウインチを用いて吊りロープ１４を引上げ、出入口装置１を所定階に搬入して据付けた後、前記の吊りロープ１４を少し弛めて、この所定階で作業員が吊りクランプ１２のクランプ本体１６を横方向へ移動させることにより、このクランプ本体１６を一体化した敷居部１ｃおよび保護具１３から取外す。次いで、この保護具１３を上方へ引上げることにより敷居部１ｃから取外し、前記の作業員が立ち上がってシャックルソケット２４のボルト２５をゆるめて、このシャックルソケット２４から吊りロープ１４を抜出す。これにより、吊りロープ１４は出入口装置１から取外された状態となるので、所定階での出入口装置１の搬入、据付作業が終了する。その後、他の所定階での出入口装置１の搬入、据付作業を順次行ない、全ての所定階で出入口装置１の搬入、据付作業が終了した後、シャックルソケット２０のボルト２１をゆるめて、吊りロープ１４の下端アイエンド部１４ａと吊りクランプ１２の連結部材１７との連結状態を解除し、一連の作業を終了する。
【００２２】
このように構成した実施形態では、作業員が１人のみで出入口装置１の据付作業を行なうことができ、しかも、同一階で吊りロープ１４の取外し作業が可能であるために作業員の移動を要せずに済み、作業効率が良い。
【００２３】
また、この実施形態では、保護具１３の被覆部材１８で敷居部１ｃの上面および両側面を覆うことにより、吊りクランプ１２を介して敷居部１ｃを吊上げたとき、この敷居部１ｃが傷付かないように保護できる。
【００２４】
また、この実施形態では、保護具１３の戸止め部材１９で乗場戸１ｄを所定の間隔で開いた状態に保持することにより、この乗場戸１ｄに吊りクランプ１２が干渉することが防止できるため、この状態で敷居部１ｃに吊りクランプ１２を容易に着脱できる。
【００２５】
なお、この実施形態では、前記の吊りロープ１４により、上方より垂下され吊りクランプ１２に下端が連結される索状体を構成したが、本発明はこれに限られず、他の索状体、例えばチェーンなどであってもよい。
【００２６】
【発明の効果】
以上のように構成したので、本発明は、作業員が１人のみでエレベータ出入口装置の据付作業を効率良く行なうことができ、したがって、出入口装置の据付時のコスト低減を図れるという効果がある。また、吊りクランプを介してエレベータ出入口装置の敷居部を吊上げたとき、この敷居部が傷付かないように保護できるとともに、エレベータ出入口装置の乗場戸に吊りクランプが干渉することが防止できるため、この状態で敷居部の幅方向のほぼ中央部へ吊りクランプを容易に着脱できる。したがって、エレベータ出入口装置の据付作業を円滑に行なえるため、出入口装置の据付時のコスト低減をさらに図れるという効果がある。
【図面の簡単な説明】
【図１】本発明の一実施形態に係るエレベータ出入口装置の吊上げ用治具を示す斜視図である。
【図２】図１の吊上げ用治具のＡ部を拡大して示す斜視図である。
【図３】図１の吊上げ用治具のＢ部を拡大して示す側面図である。
【図４】図１の吊上げ用治具に備えられる保護具の斜視図である。
【図５】保護具の側面図である。
【図６】従来のエレベータ据付方法を説明する図である。
【図７】従来のエレベータ据付方法によりロープを取外す際の状態を示す図である。
【符号の説明】
１  出入口装置
１ａ  ポケット部
１ｂ  三方枠
１ｃ  敷居部
１ｄ  乗場戸
１２  吊りクランプ
１３  保護具
１４  吊りロープ（索状体）
１５  ガイド体
１６  クランプ本体
１７  連結部材
１８  被覆部材
１９  戸止め部材
２０  シャックルソケット
２３  取付ブラケット
２４  シャックルソケット
【図１】
0003544796.tif 000002
【図２】
0003544796.tif 000003
【図３】
0003544796.tif 000004
【図４】
0003544796.tif 000005
【図５】
0003544796.tif 000006
【図６】
0003544796.tif 000007
【図７】
0003544796.tif 000008